(57)【特許請求の範囲】
【請求項１】
筐体の内部に収納された収納位置と、前記筐体の内部から前記筐体の外部へ引き出された露出位置とを変位可能な表示素子と、
前記表示素子に所定情報を表示する表示制御部と、
前記表示素子が前記収納位置にある場合、前記筐体の外部から前記表示素子に表示された前記所定情報を視認可能とする表示部と
を備え、
前記表示部は、第１表示部と、前記第１表示部とは別の第２表示部とを有していること  を特徴とする表示装置。
【請求項２】
請求項１に記載の表示装置において、
前記筐体の外部に引き出されている前記表示素子の表示面に表示される所定情報は、前記第１表示部を介して視認可能な所定情報および前記第２表示部を介して視認可能な所定情報のいずれとも異なること
を特徴とする表示装置。
【請求項３】
請求項１または請求項２に記載の表示装置において、
前記表示制御部は、前記表示素子が前記露出位置にある場合、前記筐体の外部に引き出されている前記表示素子の表示面の大きさに応じて、前記表示素子の前記表示面に表示する所定情報の大きさを変更すること
を特徴とする表示装置。
【請求項４】
請求項１から請求項３のいずれか１項に記載の表示装置において、
前記表示素子が前記筐体の外部に引き出されたか否かを検出する検出部をさらに備え、
前記表示制御部は、前記表示素子が前記筐体の外部に引き出されたことを前記検出部が検出した際に、前記筐体の外部に引き出されている前記表示素子の表示面に所定情報を表示するように制御すること
を特徴とする表示装置。
【請求項５】
請求項１から請求項４のいずれか１項に記載の表示装置において、
前記筐体の外部に引き出されている前記表示素子の表示面の大きさに応じて、所定情報を表示する向きを変更すること
を特徴とする表示装置。
【請求項６】
請求項１から請求項５のいずれか１項に記載の表示装置において、
前記表示制御部は、前記表示素子が前記露出位置にある場合、前記筐体の外部に引き出されている前記表示素子の表示面に所定情報を表示し、前記表示部を介して視認可能な位置に所定情報を表示しないように制御すること
を特徴とする表示装置。
【請求項７】
請求項１から請求項６のいずれか１項に記載の表示装置において、
前記表示制御部は、記憶媒体に記憶された画像データに基づく画像を所定情報として表示すること
を特徴とする表示装置。
【請求項８】
請求項１から請求項７のいずれか１項に記載の表示装置において、
前記表示素子は、可撓性を有する材質で構成されること
を特徴とする表示装置。
【請求項９】
請求項１から請求項８のいずれか１項に記載の表示装置と、
被写体を撮像して画像データを出力する撮像部とを備え、
前記表示制御部は、前記撮像部から出力された前記画像データに基づく画像を所定情報として前記表示素子に表示させること
を特徴とする撮像装置。
【発明の詳細な説明】
【技術分野】
【０００１】
本発明は、表示装置および撮像装置に関する。
【背景技術】
【０００２】
従来、例えば、特許文献１に開示されたカメラがある。このカメラは、フレキシブルな表示素子が巻取軸によって巻き取られて、カメラ内に収納されている。表示素子がカメラ内から完全に引き出されて表示素子駆動回路がＯＮになった状態で、画像表示ＯＮ／ＯＦＦスイッチがＯＮにされ、モードダイヤルの操作によって再生が選択されると、メモリに記憶された画像が読み出されて表示素子に表示される。
【先行技術文献】
【特許文献】
【０００３】
【特許文献１】特開２００８−１５７９９６号公報
【発明の概要】
【発明が解決しようとする課題】
【０００４】
しかしながら、上記従来のカメラでは、表示素子がカメラ内から完全に引き出されないと表示素子駆動回路がＯＮにならないので、表示素子をカメラ内に収納した状態では、例えばメモリに記憶された画像等を見ることができなかった。
【課題を解決するための手段】
【０００５】
請求項１に記載の表示装置は、筐体の内部に収納された収納位置と、前記筐体の内部から前記筐体の外部へ引き出された露出位置とを変位可能な表示素子と、前記表示素子に所定情報を表示する表示制御部と、前記表示素子が前記収納位置にある場合、前記筐体の外部から前記表示素子に表示された前記所定情報を視認可能とする表示部とを備え、前記表示部が、第１表示部と、前記第１表示部とは別の第２表示部とを有していることを特徴とする。
【発明の効果】
【０００６】
本発明によれば、筐体に対する表示素子の位置に応じて所定情報を適切に表示することが可能な表示装置および撮像装置を提供することができる。
【図面の簡単な説明】
【０００７】
【図１】本発明の一実施形態によるデジタルカメラの外観を示す背面斜視図である。
【図２】図１に示すデジタルカメラの表示素子を引き出した際の背面斜視図である。
【図３】図１に示すデジタルカメラの構成の概略を示すブロック図である。
【図４】図１に示すデジタルカメラの表示素子の引き出し範囲を示す背面斜視図である。
【図５】図１に示すデジタルカメラと表示素子の形状が異なる本発明の変形例によるデジタルカメラの概略の背面図である。
【図６】図１に示すデジタルカメラの表示部に別体の表示素子を備えた本発明の変形例によるデジタルカメラの概略の背面図である。
【図７】図１に示すデジタルカメラに複数の表示部を備えた本発明の変形例によるデジタルカメラの外観を示す背面斜視図である。
【発明を実施するための形態】
【０００８】
本発明の実施形態として電子機器、ここではデジタルカメラを例に説明する。
【０００９】
図１は、本実施形態におけるデジタルカメラ１の外観を示す背面斜視図である。
【００１０】
デジタルカメラ１は、カメラボディ２、ズームボタン３、ロータリーマルチセレクタ４、決定ボタン５、表示部６、表示素子７をそれぞれ備えている。カメラボディ２は、デジタルカメラ１の本体を構成している。カメラボディ２の背面には、ズームボタン３、ロータリーマルチセレクタ４、決定ボタン５、表示部６がそれぞれ設けられている。ズームボタン３は、後述する表示素子７に表示される所定情報、たとえばスルー画像や再生画像等の表示を拡大または縮小するためのボタンである。ロータリーマルチセレクタ４は、多方向に操作自在な方向検出スイッチで構成され、使用者がたとえば上下左右のいずれかを押圧したり、回転操作したりすることで押圧方向に対応した内容を指示するためのボタンである。たとえば、使用者が選択している使用モードに応じたメニューが表示されたメニュー画面において、使用者が選択したい項目を指示する際に使用される。決定ボタン５は、ロータリーマルチセレクタ４の中央に配置され、使用者がロータリーマルチセレクタ４を操作して選択した項目等を決定、実行するために押圧操作されるボタンである。表示部６は、たとえばアクリル樹脂、ポリカーボネート樹脂等の透光性の材質で形成されている。使用者は表示部６を覗くことで、カメラボディ２内に収納された表示素子７の表示面の一部７ａを観察することができる。このように、表示部６は、カメラボディ２内に収納された表示素子７を視認するための窓として構成されている。カメラボディ２の前面には、図示しない撮影レンズユニット８が設けられている。撮影レンズユニット８は、カメラボディ２と一体に構成してもよいし、カメラボディ２に対して着脱可能に構成してもよい。
【００１１】
表示素子７は、図２に示すように、例えば有機ＥＬ(Electro Luminescence)のような可撓性を有する材質で矩形状に構成され、カメラボディ２の内部に備えられた図示しない巻取軸に巻き取られて、カメラボディ２内に収納されている。なお、同図において図１と同一部分には同一符号を付してその説明は省略する。表示素子７の引き出し側の端部には硬い棒状の引き出し部８が備えられている。使用者が引き出し部８の摘み８ａを掴んでカメラボディ２の外方へ引っ張ることで、カメラボディ２の図示しない開口部から表示素子７を引き出すことができる。引き出された表示素子７が所定位置まで巻き戻されると、カメラボディ２の内部に備えられた図示しないラッチ・解除機構からなる巻取軸ロック機構により、巻取軸の回転がロックされる。表示素子７の周囲には、表示素子７を使用時に平面状に展延して保持する形状記憶ワイヤが設けられている。このため、巻取軸ロック機構によって巻取軸の回転がロックされると、この形状記憶ワイヤにより、表示素子７が平面状に引き出された状態が保持される。また、引き出された表示素子７をカメラボディ２の外方へ強く引っ張ると、巻取軸ロック機構による巻取軸のロックが解除される。巻取軸のロックが解除されると、巻取軸に設けられた巻取ばねによって巻取軸が回転し、表示素子７は巻取軸に巻き取られてカメラボディ２内に収納される。図２では、表示素子７を最も長く引き出した状態を図示しているが、表示素子７を引き出す長さが自由に調節できるように、巻取軸ロック機構が構成されている。このように、表示素子７は、カメラボディ２に収納自在に構成されている。
【００１２】
図３は、本実施形態によるデジタルカメラ１の構成の概略を示すブロック図である。
【００１３】
デジタルカメラ１は、ＣＰＵ（Central Processing Unit）１４、ＥＥＰＲＯＭ（Electrically Erasable Programmable Ｒead Ｏnly Ｍemory）などで構成される不揮発性メモリ２６、およびＲＡＭ（Random Access Memory）などで構成されるバッファメモリ２２を備えている。不揮発性メモリ２６には、ＣＰＵ１４が種々の制御を行う際に参照される制御プログラムなどが格納されている。ＣＰＵ１４は、不揮発性メモリ２６に格納されている制御プログラムに従い、バッファメモリ２２を一時記憶作業領域として回路各部の制御を行う。
【００１４】
撮影レンズユニット８は、ズームレンズ１１、フォーカスレンズ１２を含んで構成されている。被写体からの光は、撮影レンズユニット８を介してＣＣＤ（Charge Coupled Device）やＣＭＯＳ（Complementary Metal Oxide Semiconductor）などからなる撮像部１３の撮像面１３ａ上に被写体像として結像される。撮影レンズユニット８は、撮像部１３の撮像面１３ａに被写体像を投影する光学系を構成している。撮像部１３は、被写体像を撮像して画像データを出力する撮像手段を構成している。ズームレンズ１１およびフォーカスレンズ１２は、ズームボタン３の操作に応じたＣＰＵ１４の制御によってモータ１５、１６がそれぞれ駆動されることで、矢示するように光軸方向に移動する。ズームレンズ１１が光軸方向に移動することで、撮影レンズユニット８によって撮像面１３ａ上に結像される被写体像は拡大または縮小され、光学ズームの拡大倍率が調節される。また、フォーカスレンズ１２が光軸方向に移動することで、撮影レンズユニット８によって撮像面１３ａ上に結像される被写体像の結像状態（ピント）が調節される。モータ１５、１６により駆動された各レンズ１１、１２の光軸上の位置は位置検出部１７、１８により検出されて、レンズ１１、１２の位置情報がそれぞれＣＰＵ１４に出力される。モータ１６、位置検出部１８およびＣＰＵ１４は、撮像部１３に被写体像を結像する撮影レンズユニット８の焦点を調節する焦点調節部を構成している。
【００１５】
撮像部１３の撮像面１３ａ上に結像した被写体像は、アナログの撮像信号に変換され、Ａ／Ｄ変換部１９においてデジタル信号に変換される。画像処理部２０は、Ａ／Ｄ変換部１９でデジタル信号に変換された撮像信号をバス２１を介して取得し、取得した撮像信号に対して、ホワイトバランス処理やガンマ補正などの画像処理を行い、圧縮処理を行って、撮影された画像の画像データを生成する。画像処理部２０によって生成された画像データは、ＣＰＵ１４により、バッファメモリ２２に格納されると共に、Ｉ／Ｆ部２３を介して、図示しないスロットに着脱されるカードメモリなどの記録媒体２４に保存される。
【００１６】
ＣＰＵ１４は、表示制御手段を構成しており、撮像部１３で撮像された被写体像の構図を確認するためのスルー画像や記録媒体２４に保存された画像データが再生された再生画像を所定情報として表示素子７に表示させる。表示素子７がカメラボディ２内に収納されている場合、すなわち表示素子７の一部または全部がカメラボディ２から引き出されていない場合は、ＣＰＵ１４は、表示部６の大きさに応じて所定情報を表示素子７に表示させる。例えば図１に示すように、ＣＰＵ１４は、表示部６の窓の大きさと略同じ大きさとなるように所定情報を表示素子７の表示面の一部７ａに表示させる。表示素子７の一部または全部がカメラボディ２から引き出されている場合は、ＣＰＵ１４は、表示素子７のうちカメラボディ２から引き出されている表示面７ｂ、すなわちカメラボディ２内に収納されずに外部に露出している表示素子７の表示面７ｂ、の大きさに応じて所定情報を表示素子７に表示させる。例えば図２に示すように、ＣＰＵ１４は、カメラボディ２から引き出されている表示面７ｂの大きさと略同じ大きさとなるように所定情報を表示素子７に表示させる。
【００１７】
なお、表示素子７がカメラボディ２内に収納されている場合、ＣＰＵ１４は表示部６の窓の大きさと略同じ大きさとなるように所定情報を表示素子７の表示面の一部７ａに表示させたが、これに限るものではなく、たとえば表示部６の窓の大きさよりも所定情報が小さくなるように表示素子７に表示させてもよい。表示素子７の一部または全部がカメラボディ２から引き出されている場合、ＣＰＵ１４はカメラボディ２から引き出されている表示面７ｂの大きさと略同じ大きさとなるように所定情報を表示素子７に表示させたが、これに限るものではなく、たとえばカメラボディ２から引き出されている表示面７ｂの大きさよりも所定情報が小さくなるように表示素子７に表示させてもよい。
【００１８】
ＣＰＵ１４は、巻取軸の回転状態、例えば回転数を検出することにより、表示素子７がカメラボディ２内に収納されているかカメラボディ２から引き出されているのかを検出し、表示素子７がカメラボディ２から引き出されている場合には表示素子７がカメラボディ２から引き出された量を検出する引出検出手段を構成している。ＣＰＵ１４は、表示素子７がカメラボディ２から引き出されたことを検出すると、図２に示すように、表示部６を介して視認できる表示素子７の位置に所定情報を表示している状態から、表示素子７がカメラボディ２から引き出されている表示面７ｂに所定情報を表示する状態に制御を切り換える。このとき、ＣＰＵ１４は、表示部６を介して使用者が視認できる表示素子７の領域には、何も表示させない、または黒色等のある特定色を表示するように制御している。なお、ＣＰＵ１４は、巻取軸が所定量回転したことを検出することで表示素子７がカメラボディ２から引き出されたものと認識する。なお、ＣＰＵ１４が検出する所定量は、表示素子７がカメラボディ２内に収納されている場合と比べて巻取軸が少しでも回転した場合としてもよいし、巻取軸が半回転などした場合でもよい。
【００１９】
なお、ＣＰＵ１４は、表示素子７がカメラボディ２から引き出されていない、すなわち表示素子７がカメラボディ２から引き出されている状態から表示素子７がカメラボディ２内に収納されたことを検出すると、表示素子７がカメラボディ２から引き出されている表示面７ｂに所定情報を表示する状態から、表示部６を介して視認できる表示素子７の位置に所定情報を表示している状態に制御を切り換えてもよい。
【００２０】
ＣＰＵ１４には操作部２７が接続されている。操作部２７は、図示しない電源ボタン、シャッターボタン、メニューボタン、および再生ボタン、ならびに、上述したズームボタン３や、ロータリーマルチセレクタ４、および決定ボタン５などからなる。電源ボタンは、デジタルカメラ１の電源のＯＮ／ＯＦＦを操作する際に操作される。シャッターボタンは、被写体像の撮像を行わせる際に操作される。メニューボタンは、デジタルカメラ１の種々の設定を行うためのメニュー画面を表示素子７に表示させる際に操作される。再生ボタンは、記録媒体２４に保存された画像データを表示素子７に再生表示させる際に操作される。
【００２１】
以上説明した本実施形態のデジタルカメラ１によれば、以下のような効果を得ることができる。
【００２２】
表示素子７がカメラボディ２内に収納されている場合は、ＣＰＵ１４は、使用者が表示部６を介して所定情報を視認できるように所定情報を表示素子７に表示させるようにした。これにより、使用者は表示素子７をカメラボディ２から引き出さなくても所定情報を確認することができる。
【００２３】
表示素子７の一部または全部がカメラボディ２から引き出されている場合は、ＣＰＵ１４は、表示素子７のうちカメラボディ２から引き出されている表示面７ｂの大きさに応じて、カメラボディ２から引き出されている表示面７ｂに所定情報を表示させるようにした。これにより、例えば使用者は表示素子７がカメラボディ２内に収納されている場合の所定情報の大きさとは異なる大きさで所定情報を視認することができる。
【００２４】
このように、本実施形態のデジタルカメラ１によれば、使用者の使用目的、使用環境に合わせた表示を行うことができる。
【００２５】
表示素子７がカメラボディ２内に収納された場合でも、表示素子７の一部または全部がカメラボディ２から引き出された場合でも、単一の表示素子７で所定情報の表示を行うことができる。これにより、部品点数を削減することができる。デジタルカメラ１の小型化や薄型化が図れる。製品コストを低減することができる。
【００２６】
使用者が表示部６を介して視認することができる所定情報は、引出検出手段により表示素子７がカメラボディ２から引き出され始めたことが検出された際に、表示制御手段によって表示素子７の表示面７ｂに切り換えて表示するようにした。これにより、表示素子７がカメラボディ２から引き出されて行くのに連れて所定情報が順次視認され、表示素子７の表示面７ｂで所定情報を視認することができる。
【００２７】
有機ＥＬなどで構成される可撓性を有する表示素子７を用いた。これにより、表示素子７を巻き取ったり畳んだりすることができるので、デジタルカメラ１の小型化や薄型化が図れる。表示素子７がカメラボディ２内に収納されるため、カメラボディ２の形状がたとえば従来の直方体にとらわれず、デジタルカメラ１のデザインの自由度が広がる。
【００２８】
ＣＰＵ１４は、撮像部１３で撮像される被写体像を所定情報として表示素子７に表示させる。これにより、表示素子７をカメラボディ２に収納した状態で使用者は表示部６を介して被写体像をスルー画として確認しながら撮影を行ったり、撮像した被写体像の再生画像を引き出した表示素子７で確認したりすることができる。引き出した表示素子７に表示される被写体像をスルー画として確認しながら撮影を行ったり、撮像した被写体像の再生画像を表示部６を介して確認したりすることができる。
【００２９】
なお、本実施形態は、以下のように変形することもできる。上記実施形態では、引出検出手段により表示素子７がカメラボディ２から引き出され始めたことが検出された際に、表示制御手段により、表示部６に対応する位置に表示させていた所定情報を表示素子７に切り換えて表示させる構成としたが、これに限られることはない。例えば、引出検出手段により表示素子７がカメラボディ２から所定量引き出されたことが検出された際に、例えば図２に示すように、表示素子７がカメラボディ２から最も引き出されたことが検出された際に、表示制御手段により、表示部６に対応する位置に表示させていた所定情報を表示素子７に切り換えて表示させる構成にしてもよい。この構成においては、カメラボディ２から所定量引き出された状態の表示素子７の表示面７ｂで、所定情報の全てが一べつで視認され、引き出し途中の所定情報を不完全な状態で視認しなくてすむ。
【００３０】
図４に示すように、表示素子７を最も引き出した長さＡの例えば半分の長さＢまで表示素子７が引き出されたことが、所定量として引出検出手段によって検出された際に、表示部６に対応する位置に表示させていた所定情報を表示素子７に切り換えて表示させる構成にしてもよい。なお、図４において図２と同一部分には同一符号を付してその説明は省略する。このような場合、表示部６または表示素子７の表示面７ｂの形状に応じて、ＣＰＵ１４の表示制御により所定情報の表示方向を変える構成にしてもよい。図４に示すように表示素子７がカメラボディ２から長さＢだけ引き出された際は、ＣＰＵ１４は、所定情報の表示方向を点線で描いた被写体像のように横向きに表示する。表示部６の形状が同図のように横長の長方形状ではなく、縦長の長方形状である場合には、同様に表示部６に対応する位置に表示する表示面の一部７ａに所定情報を横向きに表示する。本構成によれば、所定情報の表示方向は、ＣＰＵ１４により、表示部６または表示素子７の表示面の形状に応じて変えられるため、表示部６または表示素子７の表示面の使用範囲を最大限広めて、所定情報を大きく表示することができる。
【００３１】
上記実施形態では、所定情報の表示が表示部６に対応する位置関係の表示面から表示素子７がカメラボディ２から引き出された表示面に切り換わると、ＣＰＵ１４が表示部６を非表示にする制御を行う構成としたが、これに限られることはない。例えば、ＣＰＵ１４により、カメラボディ２から引き出された表示素子７の表示面に所定情報が表示された状態で、表示素子７に表示させる所定情報とは異なる他の所定情報を表示部６を介して使用者が視認できる表示素子７の表示面に表示させる構成にしてもよい。例えば、表示素子７に所定情報として表示させるスルー画像や再生画像とは異なる、シャッター速度、ＩＳＯ（International Organization for Standardization）感度、ホワイトバランス、および残コマ数などの撮影情報を他の所定情報として、表示部６を介して使用者が視認できる表示素子７の表示面に表示させる。この構成においては、使用者は、表示素子７および表示部６を介して、より多くの情報を取得することができる。
【００３２】
上記実施形態では、表示素子７を構成する可撓性を有する材質として有機ＥＬを用いた場合について説明したが、これに限られることはない。例えば、電子ペーパやフィルムタイプのＬＣＤ（Liquid Crystal Display）などの可撓性を有する材質を表示素子７として用いる構成にしてもよい。この構成においても、上記実施形態と同様の作用効果が奏される。
【００３３】
上記実施形態では、表示素子７が長方形状をしている構成としたが、これに限られることはない。例えば図５に示すように、カメラボディ２の内部に位置し、表示部６から視認されない表示素子７の領域を切り取った形状にしてもよい。なお、図５において図２と同一部分には同一符号を付してその説明は省略する。この構成によれば、使用されない表示素子７の表示面を削減することにより、製品コストを低減することができる。
【００３４】
上記実施形態では、表示素子７がカメラボディ２に収納された状態で、表示部６から観察される表示素子７の表示面の一部７ａに、ＣＰＵ１４が所定情報をその大きさに応じて表示する構成としたが、これに限られることはない。例えば図６に示すように、表示部６を構成する窓の背面に、表示素子７とは別体の表示素子３１で表示部６を構成し、ＣＰＵ１４の制御により、表示素子７と別体の表示素子３１によって所定情報を表示する構成にしてもよい。なお、図６において図２と同一部分には同一符号を付してその説明は省略する。この構成によれば、表示素子７がカメラボディ２内に収納されている際に表示素子７を駆動しなくても表示素子３１により所定情報を表示することができるので、表示素子７の表示面の一部７ａに所定情報を表示するために表示素子７を駆動する必要がない。
【００３５】
上記実施形態では、カメラボディ２に表示部６を１つ設ける構成としたが、これに限られることはない。例えば図７に示すように、カメラボディ２に複数の表示部６、６’を設けてもよい。なお、図７において図１と同一部分には同一符号を付してその説明は省略する。この構成においては、例えば、一方の表示部６に所定情報を表示させ、他方の表示部６’に他の所定情報を表示させることにより、表示素子７をカメラボディ２に収納した状態でも、使用者は各表示部６、６’を介してより多くの情報を取得することができる。
【００３６】
上記実施形態および各変形例では、可撓性を有する材質からなる表示素子７を用いる構成としたが、本発明はこれに限られることはない。例えば、可撓性を有しない板状の表示素子を本体に対してスライド自在に構成し、本体に収納自在に構成するようにしてもよい。
【００３７】
上記実施形態および各変形例ではデジタルカメラを例に説明したが、本発明はこれに限られることはない。例えば、撮影レンズユニットや撮像部を備えない、撮影画像などを単に表示するデジタルフォトフレーム等のビューワなどの表示装置に本発明を適用してもよい。このような各構成によっても、上記実施形態および各変形例と同様な作用・効果が奏される。
【符号の説明】
【００３８】
１…デジタルカメラ
２…カメラボディ
６…表示部
７…表示素子
７ａ…表示素子７の表示面の一部
７ｂ…表示素子７の表示面
１４…ＣＰＵ
３１…別体の表示素子
【図１】
0005482146.tif 000002
【図２】
0005482146.tif 000003
【図３】
0005482146.tif 000004
【図４】
0005482146.tif 000005
【図５】
0005482146.tif 000006
【図６】
0005482146.tif 000007
【図７】
0005482146.tif 000008